(57)【要約】【課題】ワイヤハーネスが備える電線群の分岐位置において、複数の方向に向かう電線群各々が予め定められた経路に沿って保持されるように電線群を結束する作業を容易にするとともに、電線群の結束の緩み及び電線結束具の位置ずれを防止すること。【解決手段】ワイヤハーネス１は、分岐した電線群８と電線結束具１０とを備える。電線結束具１０は、金属性の棒状の芯部材に樹脂のコーティングが施された曲げ変形可能な長尺部１１、及びその長尺部１１の両端に設けられ電線を挟んで保持する把持部２０を含む。電線群８の分岐位置を経由して２方向の経路に渡る電線群８１，８２に巻き付けられてそれら電線群８１，８２を結束する電線結束具１０の長尺部１１が、電線群８の分岐状態を保持する。さらに、電線結束具１０の両端の把持部２０各々が、２方向の経路各々を形成する電線束の電線９を挟んで保持する。【選択図】図１
2012120361.tif 000002
【特許請求の範囲】
【請求項１】
分岐した電線群を備えたワイヤハーネスであって、
金属性の棒状の芯部材に樹脂のコーティングが施された曲げ変形可能な長尺部材、及び該長尺部材の両端に設けられ電線を挟んで保持する把持部を含む電線結束具を備え、
前記電線群の分岐位置を経由して２方向の経路に渡る前記電線群に巻き付けられて該電線群を結束する前記電線結束具の前記長尺部材が、前記電線群の分岐状態を保持し、
前記電線結束具の両端の前記把持部各々が、前記２方向の経路各々を形成する電線束の電線を挟んで保持することを特徴とするワイヤハーネス。
【請求項２】
前記把持部は、前記長尺部材における両端各々の一部の範囲を占め、折り返して曲げられることによって前記電線を内側に挟んで保持する部分である、請求項１に記載のワイヤハーネス。
【請求項３】
前記長尺部材における前記把持部を形成する部分のうちの末端の部分が、さらに折り曲げられて形成されている、請求項２に記載のワイヤハーネス。
【請求項４】
前記把持部は、
前記長尺部材の両端各々に固定され、可撓性を有する二股のアーム部と、
前記二股のアーム部各々の先端に形成され、相互に引っ掛かり合うことによって前記二股のアーム部をそれらの間に前記電線を挟む状態で保持する係合部と、を備える、請求項１に記載のワイヤハーネス。
【発明の詳細な説明】
【技術分野】
【０００１】
本発明は、分岐した電線群を備えたワイヤハーネスに関する。
【背景技術】
【０００２】
自動車などの車両に搭載されるワイヤハーネスは、分岐した電線群を備える場合が多く、その場合、ワイヤハーネスは、電線群の分岐位置から３つ以上の方向へ分かれた電線束の経路を形成する。そのようなワイヤハーネスにおいては、不規則な曲げ跡（クセ）の付きやすい電線束が、分岐位置を含む予め定められた経路に沿って正しく配線されなければならない。
【０００３】
従来のワイヤハーネスの組み立て工程では、配線用の治具が用いられる。その治具は、作業台と、その作業台上の予め定められた経路に沿った位置に固定され、電線が引っ掛けられる複数の電線保持具を含む。まず、作業者は、ワイヤハーネスを構成する電線群を、治具の電線保持具に順次引っ掛けつつ配線する。その後、作業者は、粘着テープを電線群に巻き付けることにより電線群を結束するとともに、電線束の経路を規制する。
【０００４】
しかしながら、電線群の分岐位置において、複数の方向に向かう電線群各々が予め定められた経路に沿って保持されるように電線群に粘着テープを巻き付ける作業は、熟練を要する作業である。
【０００５】
一方、特許文献１には、屈曲可能な長尺な部材に樹脂のコーティングが施された電線結束具が、電線群が幹線から支線へ分岐する分岐位置において、電線群に対して螺旋状に巻き付けられた構成を備えたワイヤハーネスについて示されている。特許文献１に示される技術によれば、電線群の分岐位置において、複数の方向に向かう電線群各々が予め定められた経路に沿って保持されるように電線群を結束する作業が容易となる。
【先行技術文献】
【特許文献】
【０００６】
【特許文献１】特開２００５−２６７８９６号公報
【発明の概要】
【発明が解決しようとする課題】
【０００７】
しかしながら、特許文献１に示されるワイヤハーネスが採用された場合、周囲に突起部又は角部などが存在すると、電線群に巻き付けられた電線結束具の末端部分が周囲の物に引っ掛かる。そうすると、電線群の結束が緩む、及び電線結束具の位置がずれるなどの不都合が生じ得る。
【０００８】
本発明は、ワイヤハーネスが備える電線群の分岐位置において、複数の方向に向かう電線群各々が予め定められた経路に沿って保持されるように電線群を結束する作業を容易にするとともに、電線群の結束の緩み及び電線結束具の位置ずれを防止することを目的とする。
【課題を解決するための手段】
【０００９】
本発明に係るワイヤハーネスは、分岐した電線群と電線結束具とを備える。その電線結束具は、金属性の棒状の芯部材に樹脂のコーティングが施された曲げ変形可能な長尺部材、及びその長尺部材の両端に設けられ電線を挟んで保持する把持部を含む。さらに、本発明に係るワイヤハーネスにおいて、電線群の分岐位置を経由して２方向の経路に渡る電線群に巻き付けられてそれら電線群を結束する電線結束具の前記長尺部材が、電線群の分岐状態を保持する。さらに、電線結束具の両端の把持部各々が、２方向の経路各々を形成する電線束の電線を挟んで保持する。
【００１０】
本発明に係るワイヤハーネスにおいて、把持部が、長尺部材における両端各々の一部の範囲を占め、折り返して曲げられることによって電線を内側に挟んで保持する部分であることが考えられる。この場合、長尺部材における把持部を形成する部分のうちの末端の部分が、さらに折り曲げられて形成されていることが望ましい。
【００１１】
一方、本発明に係るワイヤハーネスにおいて、把持部が、以下の各構成要素を備えることが考えられる。第１の構成要素は、長尺部材の両端各々に固定され、可撓性を有する二股のアーム部である。第２の構成要素は、二股のアーム部各々の先端に形成され、相互に引っ掛かり合うことによって二股のアーム部をそれらの間に電線を挟む状態で保持する係合部である。
【発明の効果】
【００１２】
本発明において、電線結束具を構成する曲げ変形可能な長尺部材は、金属性の芯部材を備えるため、曲げられた形状を維持する特性を有する。従って、本発明に係るワイヤハーネスにおいては、電線結束具の長尺部材が、その形状維持特性により、電線群の分岐位置から２方向に向かう電線群各々を予め定められた経路に沿って保持する。
【００１３】
従って、本発明における電線結束具を用いて、複数の方向に向かう電線群各々が予め定められた経路に沿って保持されるように電線群を結束する作業は、粘着テープを用いた作業に比べ格段に容易である。しかも、本発明においては、電線結束具の両端に設けられた把持部が、電線束の電線を挟んで保持する。そのため、電線結束具の末端部分が周囲の物に引っ掛かることに起因する電線群の結束の緩み及び電線結束具の位置ずれが防止される。
【００１４】
また、本発明における電線結束具は、粘着テープに比べ、電線群からの取り外しが容易であり、取り外された電線結束具は、再利用可能である。そのため、本発明における電線結束具が採用されることにより、設計変更などに伴う電線群の結束のやり直し作業が容易となる。
【００１５】
また、本発明において、把持部が、長尺部材の両端各々における折り返して曲げられた部分であれば、非常に簡易な構成によって把持部を実現することができる。さらに、長尺部材における把持部を形成する部分のうちの末端の部分が、さらに折り曲げられて形成されていれば、その末端の部分は、折り返し部分に挟まれた電線の抜け止めとして機能する。その結果、電線群の結束の緩み及び電線結束具の位置ずれが、より確実に防止される。
【００１６】
また、本発明において、把持部が、二股のアーム部と、その二股のアーム部各々の先端に形成された係合部とを備えることにより、把持部による電線の保持力がより高まる。その結果、電線群の結束の緩み及び電線結束具の位置ずれが、より確実に防止される。
【図面の簡単な説明】
【００１７】
【図１】本発明の第１実施形態に係るワイヤハーネス１の主要部の外観図である。
【図２】ワイヤハーネス１が備える電線結束具１０の斜視図である。
【図３】電線結束具１０の断面図である。
【図４】端部に電線を挟み込む把持部が形成された電線結束具１０の側面図である。
【図５】電線を挟み込む電線結束具１０の把持部を示す図である。
【図６】本発明の第２実施形態に係るワイヤハーネス１Ａの主要部の外観図である。
【図７】ワイヤハーネス１Ａの製造工程において電線群に電線結束具１０が巻き付けられる途中の第１の状況を示す図である。
【図８】ワイヤハーネス１Ａの製造工程において電線群に電線結束具１０が巻き付けられる途中の第２の状況を示す図である。
【図９】本発明の第３実施形態に係るワイヤハーネス２の主要部の外観図である。
【図１０】ワイヤハーネス２が備える電線結束具１０Ａの斜視図である。
【図１１】電線を挟み込む電線結束具１０Ａの把持部を示す図である。
【発明を実施するための形態】
【００１８】
以下、添付の図面を参照しながら、本発明の実施形態について説明する。以下の実施形態は、本発明を具体化した一例であり、本発明の技術的範囲を限定する事例ではない。本発明の実施形態に係るワイヤハーネス１，１Ａ，２は、自動車などの車両に搭載され、例えば、インバータ回路などの電力供給源と電装機器との間、又は複数の電装機器相互間を電気的に接続する。
【００１９】
＜第１実施形態＞
まず、図１から図５を参照しつつ、本発明の第１実施形態に係るワイヤハーネス１の構成について説明する。図１に示されるように、ワイヤハーネス１は、複数の電線９からなる分岐した電線群８と、電線結束具１０とを備える。
【００２０】
ワイヤハーネス１は、電線群８の分岐位置７から３つ以上の方向へ分かれた電線束の経路を形成する。図１に示される例では、電線群８は、分岐位置７から３方向の経路へ分かれて形成されている。以下、分岐位置７から３方向の経路へ分かれた電線群８のうち、第１の経路に沿う電線群８を第一電線群８１、第２の経路に沿う電線群８を第二電線群８２、第３の経路に沿う電線群８を第三電線群８３と称する。
【００２１】
なお、図１に示される例では、第一電線群８１の経路及び第二電線群８２の経路がなす角度は１８０°であり、第一電線群８１の経路及び第二電線群８２と第三電線群８３の経路とがなす角度は９０°であるが、各電線群の経路がなす角度は、１８０°又は９０°とは限らない。また、電線群８が、分岐位置７から４方向以上の経路へ分かれて形成される場合もある。
【００２２】
図２及び図３に示されるように、電線結束具１０は、金属性の棒状の芯部材１３に樹脂のコーティング１４が施された曲げ変形可能な長尺の部材である。芯部材１３は、例えば、銅合金、鉄又はステンレスなどの材料からなる。また、芯部材１３は、曲げ変形可能な特性が得られ、かつ、電線群８に対する接触面積が十分に確保されるように、長尺な板状に形成されている。本実施形態においては、電線結束具１０全体が、曲げ変形可能な長尺部材の一例である。
【００２３】
樹脂のコーティング１４は、例えば、塩化ビニルなどの樹脂材からなるコーティング材であるが、柔軟性を有する他の樹脂材で構成されてもよい。また、板状の芯部材１３の厚みは、例えば、約１．０ｍｍから約１．５ｍｍの範囲で形成され、板状の芯部材１３の幅は、例えば、約４．０ｍｍから４．５ｍｍ程度で形成されている。
【００２４】
電線結束具１０は、金属性の芯部材１３を備えるため、曲げられた形状を維持する特性を有する。なお、芯部材１３が、丸棒状であることも考えられる。
【００２５】
また、図２及び図４に示されるように、電線結束具１０（長尺部材）における両端各々の一部の範囲を占める部分１２は、折り返して曲げられることによって電線９を内側に挟んで保持する把持部２０となる。即ち、電線結束具１０における両端各々の一部の範囲を占める部分１２は、折り返して曲げられることにより、折り返し位置から末端寄りの部分である復路部２１と、折り返し部分から中央側寄りの部分である往路部２２とが形成される。
【００２６】
そして、図５に示されるように、電線結束具１０の両端各々に形成された復路部２１及び往路部２２は、それらの間に電線９を挟み込む。また、復路部２１及び往路部２２は、芯部材１３の形状維持特性により、電線９を挟み込んだ状態で保持する。なお、図５に示される例では、把持部２０（復路部２１及び往路部２２）は、１本の電線９を把持しているが、把持部２０が、複数の電線９を把持することも考えられる。
【００２７】
図４及び図５に示されるように、電線結束具１０における把持部２０を形成する部分１２のうちの末端の部分２３、即ち、復路部２１の末端の一部分は、さらに折り曲げられて形成されている。その末端の部分２３は、復路部２１及び往路部２２に挟まれた電線９の抜け止めとして機能する。以下、電線結束具１０における、両端各々の把持部２０を構成する部分１２を除く部分のことを長尺部１１と称する。
【００２８】
図１に示されるように、ワイヤハーネス１において、電線結束具１０の長尺部１１は、電線群８の分岐位置７を経由して２方向の経路に渡る第一電線群８１及び第二電線群８２に対して螺旋状に巻き付けられている。これにより、電線結束具１０の長尺部１１は、それら第一電線群８１及び第二電線群８２を結束する。また、電線結束具１０の長尺部１１は、芯部材１３の形状維持特性により、第一電線群８１及び第二電線群８２の分岐状態を保持する。即ち、電線結束具１０の長尺部１１は、電線群８の分岐位置７から２方向に向かう第一電線群８１及び第二電線群８２各々を予め定められた経路に沿って保持する。
【００２９】
従って、電線結束具１０を用いて、複数の方向に向かう電線群８各々が予め定められた経路に沿って保持されるように電線群８を結束する作業は、粘着テープを用いた作業に比べ格段に容易である。
【００３０】
なお、電線結束具１０における長尺部１１の長さは、経路の異なる電線群８各々に対して２回から４回程度巻き付けることが可能であり、かつ、電線群８の分岐位置７に対して１回から２回程度巻き付けることが可能な程度の長さであることが望ましい。
【００３１】
さらに、図１及び図５に示されるように、電線結束具１０の両端の把持部２０各々は、２方向の経路各々を形成する第一電線群８１の束及び第二電線群８２の束における一部の電線９を挟んで保持する。そのため、電線結束具１０の末端部分が周囲の物に引っ掛かることに起因する電線群８の結束の緩み及び電線結束具１０の位置ずれが防止される。
【００３２】
また、ワイヤハーネス１において、把持部２０は、電線結束具１０の両端各々における折り返して曲げられただけの部分であるため、非常に簡易な構成によって把持部２０を実現することができる。
【００３３】
さらに、把持部２０を形成する部分のうちの末端の部分２３が、復路部２１及び往路部２２に挟まれた電線９の抜け止めとして機能するため、電線群８の結束の緩み及び電線結束具１０の位置ずれが、より確実に防止される。
【００３４】
また、ワイヤハーネス１における電線結束具１０は、粘着テープに比べ、電線群８からの取り外しが容易であり、取り外された電線結束具１０は、再利用可能である。そのため、電線結束具１０が採用されることにより、設計変更などに伴う電線群８の結束のやり直し作業が容易となる。
【００３５】
＜第２実施形態＞
次に、図６から図８を参照しつつ、本発明の第２実施形態に係るワイヤハーネス１Ａについて説明する。この第２実施形態に係るワイヤハーネス１Ａは、図１に示されたワイヤハーネス１と比較して、電線群８に対する電線結束具１０の長尺部１１の巻き付け方のみが異なる構成を有している。図６から図８において、図１〜図５に示される構成要素と同じ構成要素は、同じ参照符号が付されている。以下、ワイヤハーネス１Ａにおけるワイヤハーネス１と異なる点についてのみ説明する。
【００３６】
図６は、ワイヤハーネス１Ａの主要部の外観図、図７及び図８は、ワイヤハーネス１Ａの製造工程において電線群８に電線結束具１０が巻き付けられる途中の第１の状況及び第２の状況を示す図である。
【００３７】
図６から図８に示されるように、ワイヤハーネス１Ａにおいて、電線結束具１０の長尺部１１は、第一電線群８１及び第二電線群８２各々に対して螺旋状に巻き付けられている。さらに、電線結束具１０の長尺部１１は、電線群の分岐位置７において、第三電線群８３の根元部分の両側に渡るようにクロス巻きされている。なお、第三電線群８３の根元部分とは、第三電線群８３における電線群の分岐位置７に連なる部分である。
【００３８】
電線結束具１０の長尺部１１が、図６に示されるような形態で電線群８に対して巻き付けられることにより、電線結束具１０の位置ずれがより確実に防止される。なお、電線群８に対する電線結束具１０の巻き付けの形態としては、図１及び図６に示されていない他の各種の形態も考えられる。
【００３９】
＜第３実施形態＞
次に、図９から図１１を参照しつつ、本発明の第３実施形態に係るワイヤハーネス２について説明する。この第３実施形態に係るワイヤハーネス２は、図１に示されたワイヤハーネス１における電線結束具１０が他の電線結束具１０Ａに置き換えられた構成を有している。電線結束具１０Ａの両端には、電線結束具１０の両端に形成された把持部２０とは構造が異なる把持部３０が設けられている。ワイヤハーネス２は、ワイヤハーネス１と比較して、把持部のみが異なる構成を有している。図９から図１１において、図１〜図５に示される構成要素と同じ構成要素は、同じ参照符号が付されている。以下、ワイヤハーネス２におけるワイヤハーネス１と異なる点についてのみ説明する。
【００４０】
図９は、ワイヤハーネス２の主要部の外観図、図１０は、ワイヤハーネス２が備える電線結束具１０Ａの斜視図、図１１は、電線９を挟み込む電線結束具１０Ａの把持部３０を示す図である。
【００４１】
図１０及び図１１に示されるように、ワイヤハーネス２において、電線結束具１０Ａの両端に設けられた把持部３０は、二股のアーム部３２，３３と、二股のアーム部３２，３３各々の先端に形成された係合部３４，３５とを有する。二股のアーム部３２，３３は、長尺部１１の両端各々に固定された台座部３１から二股に伸びて形成されている。台座部３１、二股のアーム部３２，３３及び係合部３４，３５は、例えば、樹脂製の一体成形部材である。或いは、台座部３１、二股のアーム部３２，３３及び係合部３４，３５は、金属製の一体成形部材に樹脂のコーティングが施された部材であってもよい。
【００４２】
台座部３１は、例えば、長尺部１１の端部が挿入される孔が形成されたキャップ状の部材である。キャップ状の台座部３１は、例えば、接着剤が塗布された長尺部１１の端部が孔に挿入されることにより、長尺部１１の端部に固定される。
【００４３】
また、二股のアーム部３２，３３は、長尺部１１の両端各々に固定された台座部３１から二股に伸びて形成されている。二股のアーム部３２，３３は、可撓性を有する部分であり、図１０に示されるように、自然状態において、隙間を隔てて対向する状態で形成されている。
【００４４】
図１０に示される例では、二股のアーム部３２，３３を構成する第一アーム部３２及び第二アーム部３３のうち、第一アーム部３２は、長尺部１１の長手方向に沿って形成されている。また、第二アーム部３３は、板状の長尺部１１の一方の面に対して起立しつつ湾曲して形成されている。第二アーム部３３の湾曲部は、電線９が嵌め入れられる部分である。二股のアーム部３２，３３を構成する第一アーム部３２及び第二アーム部３３に対して作業者の手によって相手側の方向へ力が加わることにより、二股のアーム部３２，３３は、相互に交差する位置まで撓む。
【００４５】
係合部３４，３５は、二股のアーム部３２，３３各々の先端において相互に反対方向へ曲がって形成された部分である。二股のアーム部３２，３３が、それらの間に電線９が挟まれた状態で、相互に交差する位置まで撓むと、図１１に示されるように、第一アーム部３２の先端の第一係合部３４と、第二アーム部３３の先端の第二係合部３５とが、相互に引っ掛かり合う。これにより、係合部３４，３５は、二股のアーム部３２，３３をそれらの間に電線９を挟む状態で保持する。
【００４６】
なお、図１１に示される例では、把持部３０（第一アーム部３２及び第二アーム部３３）は、１本の電線９を把持しているが、把持部３０が、複数の電線９を把持することも考えられる。
【００４７】
把持部３０が、二股のアーム部３２，３３及び係合部３４，３５を備えることにより、把持部３０による電線９の保持力がより高まる。その結果、電線群８の結束の緩み及び電線結束具１０Ａの位置ずれが、より確実に防止される。
【００４８】
＜その他＞
以上に示された各実施形態では、ワイヤハーネス１，１Ａ，２の電線群８における１箇所の分岐位置７に対して１つの電線結束具１０，１０Ａが取り付けられた例が示されたが、１箇所の分岐位置７に対して複数の電線結束具１０，１０Ａが取り付けられることも考えられる。
【００４９】
例えば、電線群８が、分岐位置７から３方向の経路へ分かれて形成されている場合に、１つの電線結束具１０，１０Ａが、分岐位置７を経由して第一電線群８１及び第二電線群８２に対して巻き付けられ、他の１つの電線結束具１０，１０Ａが、分岐位置７を経由して第一電線群８１及び第三電線群８３に対して巻き付けられることが考えられる。
【００５０】
また、電線群８が、分岐位置７から４方向の経路へ分かれて形成されている場合、第１の経路に沿う第一電線群、第２の経路に沿う第二電線群、第３の経路に沿う第三電線群及び第４の経路に沿う第四電線群が形成される。この場合、１つの電線結束具１０，１０Ａが、分岐位置７を経由して第一電線群及び第二電線群に対して巻き付けられ、他の１つの電線結束具１０，１０Ａが、分岐位置７を経由して第三電線群及び第四電線群に対して巻き付けられることが考えられる。
【符号の説明】
【００５１】
１，１Ａ，２  ワイヤハーネス
７  電線群の分岐位置
８，８１，８２，８３  電線群
９  電線
１０，１０Ａ  電線結束具
１１  電線結束具の長尺部
１３  芯部材
１４  樹脂のコーティング
２０，３０  把持部
２１  復路部
２２  往路部
３１  台座部
３２，３３  アーム部
３４，３５  係合部
【図１】
2012120361.tif 000003
【図２】
2012120361.tif 000004
【図３】
2012120361.tif 000005
【図４】
2012120361.tif 000006
【図５】
2012120361.tif 000007
【図６】
2012120361.tif 000008
【図７】
2012120361.tif 000009
【図８】
2012120361.tif 000010
【図９】
2012120361.tif 000011
【図１０】
2012120361.tif 000012
【図１１】
2012120361.tif 000013